(57)【特許請求の範囲】
【請求項１】
体重を測定する厚肉状の体重計本体と、該体重計本体に対して分離して用いられ該体重計本体での測定結果を表示する表示装置とが、備えられている体重計において、
前記体重計本体の裏面側周縁部に、握ったときに指を進入させるための指進入凹所が部分的に形成され、
前記体重計本体の裏面に、前記指進入凹所が形成される周縁部に対向する周縁部側において、前記表示装置を収納するための収納凹所が形成され、
前記収納凹所の内壁と前記表示装置の周面とが、該収納凹所内に該表示装置が収納されたとき、係止機構を介して着脱可能に係止されるように設定されている、
ことを特徴とする体重計。
【請求項２】
請求項１において、
前記係止機構が、
前記収納凹所の内壁に設けられる一方側係止爪部と、
前記表示装置の周面に設けられ、前記一方側係止爪部に対する係止関係を、前記体重計本体の裏面側外方から該収納凹所の底面に向けての移動によってのみ許容される他方側係止爪部と、
を備えている、
ことを特徴とする体重計。
【請求項３】
請求項２において、
前記一方側係止爪部の爪部内面が前記体重計本体の裏面側外方に向かうに従って前記収納凹所の内壁に近づくように傾斜又は前記他方側係止爪部の爪部内面が前記表示装置の表面側に向かうに従って該表示装置の周面に近づくように傾斜されている、
ことを特徴とする体重計。
【請求項４】
請求項１〜３のいずれか１項において、
前記表示装置が、該表示装置が収納凹所に収納されたとき、前記体重計本体から外方に突出した状態となるように設定されている、
ことを特徴とする体重計。
【請求項５】
請求項１〜３のいずれか１項において、
前記表示装置と前記体重計本体とが、該表示装置が前記収納凹所に収納されたとき、面一に近づけた外面を構成するように設定されている、
ことを特徴とする体重計。
【請求項６】
請求項１〜５のいずれか１項において、
前記体重計本体が、平面視四角形状のハウジングと、該ハウジング内に収納されて該ハウジングにおける一方の組の一対の対向する辺部側において該辺部にそれぞれ沿いつつ延びる一対の梁部材と、を備えており、
前記ハウジングの裏面側に、前記一対の梁部材間であって該ハウジングにおける他方の組の一方の辺部側において前記指進入凹所が形成されていると共に、該一対の梁部材間であって該ハウジングにおける他方の組の他方の辺部側において前記収納凹所が形成されている、
ことを特徴とする体重計。
【請求項７】
請求項６において、
前記ハウジングにおける他方の組の他方の辺部が、前記収納凹所の底面よりも突出した状態とされ、
前記表示装置は、該表示装置が前記収納凹所に収納されているとき、前記一対の梁部材との間で隙間空間をそれぞれ形成すると共に、前記係止機構と前記ハウジングにおける他方の組の他方の辺部とにより受け止められることにより、該収納凹所の底面との間で底部空間を形成するように設定されている、
ことを特徴とする体重計。
【請求項８】
請求項１〜７のいずれか１項において、
前記体重計本体の裏面のうち、前記指進入凹所よりも内方側面が、該指進入凹所よりも外方側面に比して該体重計本体の表面に近づけられている、
ことを特徴とする体重計。
【請求項９】
請求項１〜８のいずれか１項において、
前記体重計本体の裏面側周縁部のうち、前記指進入凹所が形成される周縁部に対向する周縁部に、前記収納凹所の底面よりも突出する突部が設けられ、
前記表示装置に、前記収納凹所への収納時に前記突部が入り込む凹部が形成されている、
ことを特徴とする体重計。
【発明の詳細な説明】
【技術分野】
【０００１】
本発明は、体重を測定する体重計本体と、その体重計本体の測定結果を表示する表示装置と、を備える体重計に関する。
【背景技術】
【０００２】
体重計として、厚肉状をもって平面視四角形状としたものが広く普及している。このもの中には、持ち運び性を考慮して、体重計の一つの辺部（周縁部）において、該辺部に沿うようにして指進入凹所を形成し、その指進入凹所と体重計周面との間の部分（指進入凹所よりも外方側部分）を手で握ることができる握り部に形成したものが提案されている。これによれば、その握り部を片手で握ってぶらさげながら体重計を運ぶことができ、体重計の持ち運びの容易性を確保できる（登録意匠番号１１３３９０２参照）。
【０００３】
ところで、体重計には、特許文献1に示すように、体重の測定を行う体重計本体と、その体重計本体において測定された測定結果を表示する表示装置（特許文献１においては、体重値の他に、体重値と予め記憶されている非測定情報とを基に体組成値をも算出して、表示するもの）とを分離した状態で用いるものが開発されている。具体的には、体重計本体と表示装置とは、互いが無線又は有線をもって送受信できることになっており、体重計本体において測定された測定結果は表示装置に送信され、その測定結果が表示装置において表示される。これにより、表示装置に配置の自由度を高めることができ、使い勝手を高めることができる。
【先行技術文献】
【特許文献】
【０００４】
【特許文献１】特開２００９−１６５６９５号公報
【発明の概要】
【発明が解決しようとする課題】
【０００５】
しかし、上記体重計においては、体重計本体と表示装置とが別個独立していることから、それらを移動させなければならないときには、体重計本体と表示装置とを個々に持って目的の場所に運ばなければならず、当該体重計の持ち運び性は高いとは言えない。
【０００６】
本発明は以上のような事情を勘案してなされたもので、その目的は、体重計本体と表示装置とが分離して用いられる体重計において、その持ち運び性を高めることにある。
【課題を解決するための手段】
【０００７】
前記目的を達成するために本発明（請求項１に係る発明）にあっては、
体重を測定する厚肉状の体重計本体と、該体重計本体に対して分離して用いられ該体重計本体での測定結果を表示する表示装置とが、備えられている体重計において、
前記体重計本体の裏面側周縁部に、握ったときに指を進入させるための指進入凹所が部分的に形成され、
前記体重計本体の裏面に、前記指進入凹所が形成される周縁部に対向する周縁部側において、前記表示装置を収納するための収納凹所が形成され、
前記収納凹所の内壁と前記表示装置の周面とが、該収納凹所内に該表示装置が収納されたとき、係止機構を介して着脱可能に係止されるように設定されている構成とされている。
この請求項１の好ましい態様としては、請求項２以下の記載の通りとなる。
【発明の効果】
【０００８】
本発明（請求項１に係る発明）によれば、体重計本体の裏面に、指進入凹所と収納凹所とが対向した状態で形成され、収納凹所の内壁と表示装置の周面とが、収納凹所内に表示装置が収納されるとき、係止機構を介して着脱可能に係止されるように設定されていることから、当該体重計の持ち運び時には、指進入凹所よりも外側部分を握り部として利用することができる一方、収納凹所内壁に表示装置を着脱可能に係止して、体重計本体と表示装置とを一体化することができ、その一体化物を片手でぶら下げた状態で運ぶことができる。このため、体重計本体と表示装置とが分離して用いられる体重計であっても、その持ち運び性を高めることができる。
しかもこの場合、体重計本体の表側に収納凹所を形成する場合には、踏み台部（必要な測定面積）を最低限確保する必要から、体重計本体を、収納凹所を形成する分だけ大型化しなければならないのに対して、収納凹所が体重計本体の裏側に形成されていることから、体重計本体の表側（必要な測定面積）に影響を与えることはなく、体重計本体の大型化を招くことを防止できる。
【０００９】
請求項２に係る発明によれば、係止機構が、収納凹所の内壁に設けられる一方側係止爪部と、表示装置の周面に設けられ、一方側係止爪部に対する係止関係を、体重計本体の裏面側外方から収納凹所の底面に向けての移動によってのみ許容される他方側係止爪部と、を備えていることから、一方側係止爪部と他方側係止爪部とで構成されるスライド機構を利用して、体重計本体の裏面側から表示装置を簡単に保持できる。その一方、その保持後においては、他方側係止爪部が一方側係止爪部に対して体重計本体の裏面に沿う方向に移動することが規制されることになり、指進入凹所よりも外側部分を握り部として握って体重計本体をぶら下げても、表示装置が体重計本体から落下することを防止することができる。このため、当該体重計をぶら下げた状態で持ち運ぶことができることを考慮した簡単な係止機構を具体的に提供できる。
【００１０】
請求項３に係る発明によれば、一方側係止爪部の爪部内面が体重計本体の裏面側外方に向かうに従って収納凹所の内壁に近づくように設定又は他方側係止爪部の爪部内面が表示装置の表面側に向かうに従って表示装置の周面に近づくように設定されていることから、一方側係止爪部の爪部内面と他方側係止爪部の爪部内面とが係止状態した状態において、体重計本体をぶらさげて起立させたとしても、一方側係止爪部の爪部内面又は他方側係止爪部の爪部内面の傾斜に基づき、一方側係止爪部から他方側係止爪部を抜けにくくすることができる。このため、当該体重計の持ち運び時に、体重計本体から表示装置が脱落することを抑制することができる。
【００１１】
請求項４に係る発明によれば、表示装置が、該表示装置が収納凹所に収納されたとき、体重計本体から外方に突出した状態となるように設定されていることから、表示装置が収納凹所内に収納されている状態において、その表示装置のうち、体重計本体から突出する部分を簡単に把持することができ、体重計本体からの表示装置の取り外しの容易化を図ることができる。
【００１２】
請求項５に係る発明によれば、表示装置と体重計本体とが、表示装置が収納凹所に収納されたとき、面一に近づけた外面を構成するように設定されていることから、表示装置と体重計本体との一体性を高め（実質的に体重計本体とし）、その持ち運び性及び収納性を高めることができる。
【００１３】
請求項６に係る発明によれば、体重計本体が、平面視四角形状のハウジングと、該ハウジング内に収納されて該ハウジングにおける一方の組の一対の対向する辺部側において該辺部にそれぞれ沿いつつ延びる一対の梁部材と、を備えており、ハウジングの裏面側に、一対の梁部材間であってハウジングにおける他方の組の一方の辺部側において指進入凹所が形成されていると共に、一対の梁部材間であってハウジングにおける他方の組の他方の辺部側において前記収納凹所が形成されていることから、当該体重計本体に対する補強を一対の梁部材により図りつつ、一対の梁部材間を指進入凹所及び収納凹所の配設空間として有効に利用することができる。
【００１４】
請求項７に係る発明によれば、ハウジングにおける他方の組の他方の辺部が、収納凹所の底面よりも突出した状態とされ、表示装置は、該表示装置が収納凹所に収納されているとき、一対の梁部材との間で隙間空間をそれぞれ形成すると共に、係止機構とハウジングにおける他方の組の他方の辺部とにより受け止められることにより、収納凹所の底面との間で底部空間を形成するように設定されていることから、表示装置を体重計本体から取り外すときには、表示装置の左右両側の隙間空間から底部空間に手を差し伸べて、表示装置をつかむことができることになり、その状態で簡単に表示装置を体重計本体の裏面側外方に向けて移動させることができる。このため、体重計本体から表示装置を容易に取り外すことができる。
【００１５】
請求項８に係る発明によれば、体重計本体の裏面のうち、指進入凹所よりも内方側面が、指進入凹所よりも外方側面に比して該体重計本体の表面に近づけられていることから、指進入凹所よりも内方側面上に自由空間を拡大することができ、指進入凹所よりも外側部分を握り部として握るとき、指が、握り開始から握り終えるまでハウジングに干渉することを抑制することができる。このため、握り部を握るときの使い勝手を向上させることができる。
【００１６】
請求項９に係る発明によれば、体重計本体の裏面側周縁部のうち、指進入凹所が形成される周縁部に対向する周縁部に、収納凹所の底面よりも突出する突部が設けられ、表示装置に、収納凹所への収納時に突部が入り込む凹部が形成されていることから、収納凹所内に表示装置を収納した状態において、当該体重計をぶら下げたときには、係止機構に基づく係止関係の他に、体重計本体の突部が表示装置の凹部内面を介して表示装置を支えることができることになり、係止機構に作用する表示装置の荷重負担を軽減することができる。このため、係止機構を構成する材質として、本来必要な強度のものよりも低いものをも用いることができることになり、係止機構を構成する材質（例えばハウジングの材質）の選択の自由度を高めることができる。
【図面の簡単な説明】
【００１７】
【図１】第１実施形態に係る体重計の取付け及び使用状態を説明する斜視図。
【図２】第１実施形態に係る体重計を示す斜視図。
【図３】第１実施形態に係る体重計本体を示す裏面図。
【図４】図３のＸ４−Ｘ４拡大断面図。
【図５】第１実施形態に係る体重計本体の裏面側に表示装置を収納した状態を示す平面図。
【図６】図５のＸ６−Ｘ６拡大断面図。
【図７】図５のＸ７−Ｘ７拡大断面図。
【図８】第１実施形態に係る係止機構（係止板部と係止爪部）の係止関係を説明する説明図。
【図９】第２実施形態を説明する説明図。
【図１０】第３実施形態を説明する説明図。
【発明を実施するための形態】
【００１８】
以下、本発明の実施形態について、図面に基づいて説明する。
図１おいて、符号１は、実施形態に係る体重計である。この体重計１は、体重計本体２と、表示装置３と、を備えており、これら体重計本体２と表示装置３とは、例えば図１に示すように、体重計本体２を取付けスタンド４の下部ベース４ａに保持すると共に表示装置３を取付けスタンド４上端部の取付け台４ｂに取付ける等して、分離した状態で用いられる。
ここで、体重計１には、少なくとも体重を測定する限り、体重以外のものを測定、表示するものをも含む（体重体組成計等）。尚、図１中、符号５は、表示装置３を取付け台４ｂに取付けるためのワッシャ付きねじである。
【００１９】
前記体重計本体２は、図２〜図４に示すように、平面視略正方形状のハウジング６を備えている。このハウジング６は、箱状に形成されており、その底部が開口側よりも上方側に配置されて踏み台部７とされている。
【００２０】
このハウジング６内には、図２〜図４に示すように、補強構造体８が配設されている。補強構造体８は、上下２組の一対の梁部材３７，９と、一対の梁部材３７に跨ぐようにして接合される一対の上側クロスメンバ１０（図４では反転されているため、下側に配置）と、一対の梁部材９に跨ぐようにして接合される一対の下側クロスメンバ１１（図４では反転されているため、上側に配置）と、を備えている。
一対の梁部材３７と９とは、対向された状態を保ちつつ、一対の梁部材９に対して一対の梁部材３７が上方に配置される関係とされており、その両一対の梁部材３７，９は、その上下関係を維持した状態で、ハウジング６における２組の一対の側壁部６ａ，６ｂのうち、一方の組の一対の側壁部６ａ近傍において、その側壁部６ａに沿いつつ他方の組における側壁部６ｂに向かって延びている。このうち、下側配置となる一対の各梁部材９の延び方向両端部には脚部１２がそれぞれ設けられており、ハウジング６は、４つの脚部１２を介して床面に支持される。
一対の上側クロスメンバ１０は、梁部材３７の延び方向内方側（中央付近）において、互いに間隔をあけつつ、一対の梁部材３７と略同じ高さに位置されている。この一対の上側クロスメンバ１０と一対の梁部材３７としては、断面矩形形状のパイプが用いられており、これらの梁部材３７と上側クロスメンバ１０とによってハウジング６の踏み台部７が支持（固定）される。
一対の下側クロスメンバ１１は、梁部材９の延び方向内方側（中央付近）において、互いに間隔をあけつつ、一対の梁部材９と略同じ高さに位置されており、この一対の下側クロスメンバ１１及び一対の梁部材９においても、断面矩形形状のパイプが用いられている。
【００２１】
前記ハウジング６内には、図４に示すように、ロードセル１３が収納されている。ロードセル１３は、一対の上側クロスメンバ１０と下側クロスメンバ１１との間に位置されており、ロードセル１３の上端部が一対の上側クロスメンバ１０に取付けられ、ロードセル１３の下端部が一対の下側クロスメンバ１１に取付けられている。これにより、体重計本体２の踏み台部７に被測定者が乗ったときに、その被測定者の体重が測定される。
【００２２】
前記ハウジング６は、図２〜図４に示すように、その内面において裏側部材１４を備えている。裏側部材１４は、前記一対の梁部材３７の延び方向両側であってその一対の梁部材３７間において、ハウジング６内面にそれぞれ取付けられており、その各裏側部材１４に関する構成は同一とされている。このため、一方の裏側部材１４の構成について説明し、他方の裏側部材１４の構成については、同一符号を付してその説明を省略する。この裏側部材１４は、ハウジング６の側壁部６ｂの起立端から梁部材３７の延び方向内方側に延びる第１面部１５と、その第１面部１５よりも踏み台部７内面に段差をもって引っ込む第２面部１６と、その第１面部１５と第２面部１６との間に位置されて第２面部１６よりもさらに踏み台部７に引っ込むようにされた凹所１７と、を有している。第１面部１５は、梁部材３７の延び方向において、手で握る程度の長さを有しており、その踏み台部７内面からの離間位置が略一定に維持されている。第２面部１６は、第１面部１５よりも踏み台部７内面に近づくように引っ込められており、その踏み台部７からの離間位置も略一定に維持されている。凹所１７は、第１面部１５に隣接する第２面部１６において一対の梁部材３７の並設方向（図３中、左右方向）に延びており、その凹所１７の底面１７ａは、第２面部１６よりも踏み台部７に近づくように設定されている。
【００２３】
前記ハウジング６は、図２〜図４に示すように、前記一対の下側クロスメンバ１１、ロードセル１３等を覆うべく、カバー部材１８を備えている。このカバー部材１８は、平板状をもって一対の梁部材９間を跨ぐように延び一対の下側クロスメンバ１１に固定されるカバー部１９と、このカバー部１９の幅方向両側から踏み台部７内面に向けて垂下する側壁部２０ａ，２０ｂと、を有しており、本実施形態においては、カバー部材１８は、梁部材３７の延び方向一方側において一方の裏側部材１４における第２面部１６全体を覆う一方、他方の裏側部材１４に関しては、第２面部１６を外部に露出するように設定されている。このため、梁部材３７の延び方向他方側においては、第１面部１５とカバー部材１８の側壁部２０ａとの間において収納凹所２１が形成されている。このカバー部材１８の側壁部２０には、一対の梁部材９の並設方向に延びるようにして引っ込み部２２が形成されている。この引っ込み部２２は、側壁部２０ａの他の部分よりも一定長さだけ引っ込んでおり（引っ込んだ状態の縦壁を形成）、その引っ込み部２２には、その延び方向両側において、係止機構２３の一方である一方側係止爪部としての係止板部２４がそれぞれ起立されている。この各係止板部２４は、引っ込み部２２の幅方向（図４中、上下方向）全長に亘って起立されており、その起立幅（起立長さ）は、踏み台部７から遠のくに従って狭まっている（図４参照）。この各係止板部２４の起立先端部には、引っ込み部２２の延び方向外方に向けて折曲した爪部２４ａが形成されており、その爪部２４ａは、前記係止板部２４の起立幅に基づき、踏み台部７から遠のくに従って引っ込み部２２（縦壁）に近づくように傾斜されている。尚、本実施形態においては、この各係止板部２４の補強を図るべく、両係止板部２４が連結部２５をもって連結されている。
【００２４】
前記表示装置３は、体重計本体２において測定された測定結果を表示するものである。この表示装置３と体重計本体２とは、有線又は無線を通じて送受信できることになっており、体重計本体２により測定された体重値は、この表示装置３を通じて表示できることになっている。この表示装置３は、図２に示すように、表示盤部２６と、その表示盤部２６に体重計本体２の測定結果を表示すべく、体重計本体２から測定結果を受け取ってそれを表示盤部２６に出力する機器を内蔵する本体部２７と、を備えており、その本体部２７は、表示盤部２６の裏面側に該表示盤部２６の周縁部よりも縮小された状態をもって設けられている。この本体部２７は、表示盤部２６の下部から上部に向かうに従って厚くなっており、前述のように、取付けスタンド４上端部の取付け台４ｂ等に本体部２７を取付けたときには、表示盤部２６の上部が起き上がった状態となって見易くなっている。
【００２５】
この本体部２７の背面（後面）には、図２に示すように、その横方向両側において、係止機構２３の他方である係止爪部（他方側係止爪部）２８がそれぞれ設けられている。この各係止爪部２８は、本体部２７の背面からその厚み幅全長をもって若干、突出した後、爪部２８ａが横方向内方側にそれぞれ折曲されている。この一対の係止爪部２８（爪部２８ａ）は、前記一対の係止板部２４に対応して係止できることになっており、体重計本体２の裏面に対して表示装置３の表示盤部２６を上側にしつつ、この係止爪部２８を、係止板部２４と引っ込み部２２の延び方向両端面とが形成する挿入空間２９（図２、図３参照）に体重計本体２の裏面側外方から挿入して、一対の係止爪部２８により一対の係止板部２４の爪部２４ａを包みこむように係止したときには、表示装置３は、図５に示すように、一対の各梁部材９と隙間空間３０をあけつつ、カバー部材１８と裏側部材１４の第１面部１５との間を跨ぐように配置されることになっている。このとき、図６〜図８に示すように、一対の係止爪部２８により一対の係止板部２４の爪部２４ａが包みこむように係止されることになり、表示装置３は、引っ込み部２２から体重計本体２の裏面に沿う方向（図６、図７中、左右方向）の移動が規制されると共に、表示装置３の表示盤部２６が一対の係止板部２４の端面に当接して、表示装置３の上部側がカバー部材１８に受け止められる。このため、図６、図７に示すように、表示装置３の上部側の厚み幅が下部の厚み幅よりも厚くなっているものの、表示装置３と裏側部材１４の第２面部１６との間に底部空間３１が形成されると共に、表示装置３が体重計本体２の裏面（カバー部材１８のカバー部１９）に対して、できるだけ面一に近づけた外面となるように設定されている。
【００２６】
この場合、表示装置３の下部側のうち、横方向中央部が、図５に示すように、体重計本体２の周縁部よりも、若干突出して、突出部分３２が構成されることになっている。この突出部分３２は、表示装置３の収納時における一体性（実質的に体重計本体２とすること）を考慮しつつ、表示装置３の体重計本体２からの取り外し易さを図ることを目的として、その突出部分３２に指を掛けることにより表示装置３を把持することが容易にされている。
【００２７】
このような体重計１においては、前述のとおり、取付けスタンド４等を利用して、体重計本体２と表示装置３とは分離した状態で使用される。このため、表示装置３に関し、配置の自由度を高めることができ、使い勝手を高めることができる。
その一方、体重計本体２と、表示装置３とを異なる場所に移動させなければならないときには、体重計本体２の裏面に、梁部材３７の延び方向一方側の凹所１７（指進入凹所）と収納凹所２１とが対向した状態で形成され、収納凹所２１の内壁と表示装置３の周面とが、収納凹所２１内に表示装置３が収納されるとき、係止機構２３（係止板部２４、係止爪部２８）を介して着脱可能に係止されるように設定されていることから、当該体重計１の持ち運び時には、梁部材３７の延び方向一方側の凹所１７よりも外側部分を握り部として利用することができる一方、収納凹所２１に表示装置３を着脱可能に係止して、体重計本体２と表示装置３とを一体化することができる。このため、体重計本体２と表示装置３との一体化物を片手でぶら下げた状態で運ぶことができ、体重計本体２と表示装置３とが分離して用いられる体重計１であっても、その持ち運び性を高めることができる。
【００２８】
この場合、各係止板部２４の起立幅（起立長さ）が踏み台部７から遠のくに従って狭まるに伴い、その各爪部２４ａが踏み台部７から遠のくに従って引っ込み部２２（縦壁）に近づくように傾斜されていることから、各爪部２４ａに各係止爪部２８を係止した状態で体重計本体２を持って縦に配置したときには、表示装置３の自重が各係止爪部２８を介して各爪部２４ａに作用することと相まって、各爪部２４ａから各係止爪部２８が抜けにくくなる（しっかりとした係止確保）。このため、当該体重計１の持ち運び時には、体重計本体２から表示装置３が脱落することを抑制できる。
本実施形態においては、各爪部２４ａ内面の傾斜状態に基づいて、各爪部２４ａから各係止爪部２８を抜けにくくしているが、別の態様として、各係止爪部２８の爪部２８ａ内面を、表示盤部２６に近づくに従って本体部２７周面に近づくように傾斜させてもよい。この各爪部２８ａ内面の傾斜に基づいても、各爪部２４ａから各係止爪部２８を抜けにくくすることができる。
【００２９】
一方、当該体重計１が目的の場所に移動されたときには、表示装置３の横方向両側からその表示装置３と裏側部材１４の第２面部１６との隙間空間３０に手を入れて、表示装置３を体重計本体２の裏面側から離間する方向に引き上げれば、一対の係止爪部２８がカバー部材１８の係止板部２４の爪部２４ａに対してスライドして、表示装置３を体重計本体２から簡単に引き抜くことができる。これにより、迅速に体重計本体２と表示装置３とを使用のためセットすることができる。またこの場合、体重計本体２に表示装置３が係止されているときには、表示装置３が若干、体重計本体２の周縁部から外方に突出されていることから、その表示装置３の突出部分３２に容易に手を掛けて、表示装置３を体重計本体２の裏面から離間させる際に表示装置３を容易に把持できる。このため、このことによっても、表示装置３を体重計本体２から容易に取り外すことができる。
【００３０】
また、本実施形態においては、体重計本体２が、平面視四角形状のハウジング６と、該ハウジング６内に収納されて該ハウジング６における一方の組の一対の対向する側壁部６ａにおいて該側壁部６ａに沿いつつ延びる一対の梁部材９と、その一対の梁部材９を跨ぐ一対の上側、下側クロスメンバ１０，１１とを備え、ハウジング６の裏面に、一対の梁部材９の延び方向一方側において凹所１７が形成されると共に、一対の梁部材９の延び方向他方側において収納凹所２１が形成されていることから、当該体重計１の強度を確保しつつ、該一対の梁部材９の並設方向内方を、握り時の指進入のための凹所１７及び収納凹所２１の配設空間として有効に利用することができる。
【００３１】
図９は第２実施形態、図１０は第３実施形態を示すものである。この各実施形態において、前記第１実施形態と同一構成要素については同一符号を付してその説明を省略する。
【００３２】
図９に示す第２実施形態は、カバー部材１８の他方側側壁部２０ｂの位置を梁部材９の延び方向内方側に位置させて（図９中、側壁部２０ｂが矢印方向に移動したことを参照）、指進入のための凹所１７よりも外側部分で構成される握り部３３を握り易くした内容を示している。すなわち、この第２実施形態においては、前記第１実施形態とは異なり、裏側部材１４の第２面部１６が外部に露出され、その露出した第２外面部１６の上方に自由空間３４が確保される。この自由空間３４は、裏側部材１４の第２面部１６が第１面部１５に比してハウジング６の表面部（踏み台部）に近づけることにより形成されており（第１面部１５と第２面部１６とを同一高さにする場合に比べて自由空間３４を拡大）、握り部３３を握るとき、指が、握り開始から握り終えるまでハウジング６に干渉することを抑制することができる。このため、握り部３３を握るときの使い勝手を向上させることができる。
尚、握り部３３については、握り易さを考慮した形状とされている。
【００３３】
図１０に示す第３実施形態においては、ハウジング６の第１面部１５に突部３５が設けられ、表示装置３に、収納凹所２１への収納時に突部３５が入り込む凹部３６が形成されている。これにより、収納凹所２１内に表示装置３を収納した状態において、当該体重計１をぶら下げたときには、係止板部２４と係止爪部２４との係止関係の他に、ハウジングにおける第１面部１５の突部３５が表示装置３の凹部３６内面を介して表示装置３を支えることができることになり、係止機構３３に作用する表示装置３の荷重を軽減できることができる。このため、係止機構３３を構成する材質として、本来必要な強度のものよりも低いものをも用いることができることになり、係止機構３３を構成する材質（例えばハウジング６の材質）の選択の自由度を高めることができる。
【符号の説明】
【００３４】
１  体重計
２  体重計本体
３  表示装置
６  ハウジング
６ａ  ハウジングの一方の組の側壁部（一方の組の辺部）
６ｂ  ハウジングの他方の組の側壁部（他方の組の辺部）
９  一対の梁部材
１５  第１面部（指進入凹所よりも外方側面）
１６  第２面部（指進入凹所よりも内方側面）
１７  凹所（指進入凹所）
１７ａ  凹所の底面
２１  収納凹所
２３  係止機構
２４  係止板部（一方側係止爪部）
２８  係止爪部（他方側係止爪部）
３０  隙間空間
３１  底部空間
３２  突出部分
３５  突部
３６  凹部
【図１】
0005972011.tif 000002
【図２】
0005972011.tif 000003
【図３】
0005972011.tif 000004
【図４】
0005972011.tif 000005
【図５】
0005972011.tif 000006
【図６】
0005972011.tif 000007
【図７】
0005972011.tif 000008
【図８】
0005972011.tif 000009
【図９】
0005972011.tif 000010
【図１０】
0005972011.tif 000011